(57)【要約】  ＩＰｖ６ネットワークのアプリケーション層プロトコルの検出方法では、アプリケーション層プロトコル検出開始ノードはアプリケーション層プロトコル検出を行うリクエストをするために検出リクエストメッセージをアプリケーション層プロトコル検出応答ノードへ送信し、アプリケーション層プロトコル検出応答ノードは検出リクエストメッセージを受信し、その検出リクエストメッセージをアプリケーション層プロトコル検出開始ノードへ送信し、（ｃ）アプリケーション層プロトコル検出開始ノードは、検出応答メッセージを受信し、アプリケーション層プロトコル検出応答ノードとＩＰｖ６ネットワークアプリケーション層プロトコルメッセージの相互通信を行い、アプリケーション層プロトコル検出を行うようにネットワークプロトコルの動作状態を評価する性能パラメータとネットワークプロトコル捕捉状態を評価する利用可能性パラメータを獲得する。本発明はＩＰｖ６ネットワーク中の全種類のアプリケーション層プロトコルに対する検出と監視を実現し、ネットワークの動作状態は総合的に知られ、正常のネットワーク動作の確実な保護が行われる。【選択図】図２
2009506686.tif 000002
【特許請求の範囲】
【請求項１】
アプリケーション層プロトコル検出開始ノードとアプリケーション層プロトコル検出応答ノードを具備しているインターネットプロトコルバージョン６のＩＰｖ６ネットワークのアプリケーション層プロトコルの検出方法において、
（ａ）アプリケーション層プロトコル検出開始ノードによって、検出リクエストメッセージをアプリケーション層プロトコル検出応答ノードへ送信し、
（ｂ）検出リクエストメッセージを受信するとき、検出リクエストに応答して、アプリケーション層プロトコル検出応答ノードによって、検出確認メッセージをアプリケーション層プロトコル検出開始ノードへ送信し、
（ｃ）検出確認メッセージを受信するとき、アプリケーション層プロトコル検出開始ノードにより、ＩＰｖ６ネットワークのアプリケーション層プロトコルによってアプリケーション層プロトコル検出応答ノードとメッセージを交換し、アプリケーション層プロトコル検出を行うようにアプリケーション層プロトコルの動作状態を評価するための性能パラメータとアプリケーション層プロトコルの利用可能性の状態を評価するための利用可能性パラメータとを獲得するステップを含んでいる検出方法。
【請求項２】
性能パラメータはより高い層のパケットスループットと、より高い層のサービス応答遅延と、より高い層の認証遅延と、より高い層のデータ転送遅延と、より高い層のサービス遅延を含んでいることを特徴とする請求項１記載の方法。
【請求項３】
利用可能性パラメータは接続設定成功レート、サービス成功レート、サービス利用可能性を含んでいることを特徴とする請求項１記載の方法。
【請求項４】
検出リクエストメッセージは検出されるプロトコルの情報と、検出開始／終了時間と、検出頻度と、検出期間と、アプリケーション層プロトコル検出応答ノードとにしたがって構されることを特徴とする請求項１記載の方法。
【請求項５】
さらに、アプリケーション層プロトコル検出応答ノードにより、ＩＰｖ６ネットワークのアプリケーション層プロトコルと、検出開始／終了時間と、検出頻度と、検出期間と、アプリケーション層プロトコル検出応答ノードとにしたがって応答サービスを付勢し、アプリケーション層プロトコル検出開始ノードからの検出リクエストメッセージを監視し受信するステップを含んでいることを特徴とする請求項１または４記載の方法。
【請求項６】
さらに、アプリケーション層プロトコル検出開始ノードにより、検出結果を記録し、検出終了リクエストをアプリケーション層プロトコル検出応答ノードへ送信し、検出終了リクエストを受信するときアプリケーション層プロトコル検出応答ノードによりアプリケーション層プロトコル検出を終了するステップを含んでいることを特徴とする請求項５記載の方法。
【請求項７】
さらに、アプリケーション層プロトコル検出開始ノードにより、特定の時間内にアプリケーション層プロトコル検出応答ノードから検出確認メッセージが受信されないならば、アプリケーション層プロトコル検出開始ノードは検出結果を記録し、次の検出を待機するステップを含んでいることを特徴とする請求項６記載の方法。
【請求項８】
アプリケーション層プロトコル検出開始ノードとアプリケーション層プロトコル検出応答ノードとの間のアプリケーション層プロトコル検出は１対１の地点間、１対多数の地点間、多数対多数の地点または多数対１の地点間で行われることを特徴とする請求項１記載の方法。
【請求項９】
アプリケーション層プロトコル検出開始ノードとアプリケーション層プロトコル検出応答ノードとはクライアント／サーバモデルを使用することを特徴とする請求項１乃至８のいずれか１項記載の方法。
【発明の詳細な説明】
【技術分野】
【０００１】
本発明はインターネットプロトコルバージョン６（ＩＰｖ６）ネットワークに関し、特にＩＰｖ６ネットワークのアプリケーション層プロトコルの検出方法に関する。
【背景技術】
【０００２】
インターネットプロトコルバージョン６（ＩＰｖ６）ネットワークは新世代のインターネットである。現在、ＩＰｖ６ネットワークの配備と実験は産業界において徐々に開発中である。ＩＰｖ６ネットワークにおける種々の関連されるサービスは一歩一歩改良されている。設計の視点から、ＩＰｖ６ネットワークはＩＰｖ４ネットワークよりも大規模であり、より複雑にされている。ＩＰｖ６ネットワークで種々のサービスを実行するとき、ＩＰｖ６ネットワークの品質と、種々のサービスの品質を評価し、ＩＰｖ６ネットワークのサービスの品質が劣化されるか否かについて適時に発見することが必要とされる。これはネットワーク性能を検出することにより実行されることができる。既存の方法では、ピング技術とトレースルート技術が通常ネットワーク性能を検出するために使用される。ピング技術はネットワーク性能と、通信チャンネル及び装置が正常に作動するか否かを検出する技術である。図１は既存のＩＰｖ６ネットワークモデルを示している。図１に示されているように、ピングコマンドはネットワーク性能を検出するためにネットワークノードＡとネットワークノードＢとの間で実行される。最初に、ネットワークノードＡはＩＣＭＰｖ６（インターネット制御メッセージプロトコルバージョン６）メッセージを構成し、それをネットワークノードＢに送信する。ネットワークノードＡとＢとの間のルータはＩＣＭＰｖ６メッセージの転送のみを行う。ＩＣＭＰｖ６メッセージを受信するとき、ネットワークノードＢは確認メッセージを構成し、その確認メッセージをネットワークノードＡへ返送する。確認メッセージを受信したとき、ネットワークノードＡはネットワークノードＡとＢとの間のパスが正常であることを決定でき、ネットワークの性能を決定するために２つのノード間の遅延を計算することができる。実際の応用では、ピングは主としてネットワークが接続中であるかまたは遮断されているかを判断するために使用される。
【０００３】
さらに、トレースルートもまたリンク検出のための技術である。違いはトレースルート技術では、トレースを開始するネットワークノードがインクリメントメッセージをネットワークノードに送信することである。（１からインクリメントされる）インクリメントメッセージ中のホップ限度によりインクリメントメッセージを受信する各ホップのネットワークノードはＩＣＭＰｖ６タイムアウトメッセージをトレースを開始するネットワークノードへ返送する。例えばネットワークノードＢのアドレスがネットワークノードＡからトレースされるならば、ネットワークノードＢと、ネットワークノードＡとＢとの間の各ルータはＩＣＭＰｖ６メッセージをネットワークノードへ返送する。ＩＣＭＰｖ６メッセージを受信するとき、ネットワークノードＡはリンクの状態と遅延を決定できる。実際の応用では、トレースルートは主として故障点の位置決めに使用される。
【０００４】
しかしながら、ピングおよびトレースルート技術は以下のような欠点を有する。
【０００５】
ピング及びトレースルート技術は到達可能性のみしか検出することができず、ネットワークのＩＰ層の性能は検出されるが、ファイル転送プロトコル（ＦＴＰ）、送信制御プロトコル（ＴＣＰ）、ユーザデータグラムプロトコル（ＵＤＰ）、ハイパーテキスト転送プロトコル（ＨＴＴＰ）、シンプルネットワーク管理プロトコル（ＳＮＭＰ）、動的ホスト構成プロトコル（ＤＨＣＰ）の到達可能性および性能のようなネットワークのアプリケーション層の状態を検出することはできない。
【発明の開示】
【課題を解決するための手段】
【０００６】
本発明はＩＰｖ６ネットワークの性能の検出方法を提供し、ＩＰｖ６ネットワーク中の種々のアプリケーション層プロトコルを検出し監視する。
【０００７】
前述の説明を考慮すると、ＩＰｖ６ネットワークのアプリケーション層プロトコルの検出方法が提供される。ＩＰｖ６ネットワークはアプリケーション層プロトコル検出開始ノードとアプリケーション層プロトコル検出応答ノードを含んでいる。この方法は、
（ａ）アプリケーション層プロトコル検出開始ノードによって、検出リクエストメッセージをアプリケーション層プロトコル検出応答ノードへ送信し、
（ｂ）検出リクエストメッセージを受信するとき、検出リクエストに応答して、アプリケーション層プロトコル検出応答ノードによって、検出確認メッセージをアプリケーション層プロトコル検出開始ノードへ送信し、
（ｃ）検出確認メッセージを受信するとき、アプリケーション層プロトコル検出開始ノードにより、ＩＰｖ６ネットワークのアプリケーション層プロトコルによってアプリケーション層プロトコル検出応答ノードとのメッセージ対話を実行し、アプリケーション層プロトコル検出を行うようにアプリケーション層プロトコルの動作状態を評価するための性能パラメータと、アプリケーション層プロトコルの利用可能性の状態を評価するための利用可能性パラメータとを獲得することを含んでいる。
【０００８】
性能パラメータはより高い層のパケットスループットと、より高い層のサービス応答遅延と、より高い層の認証遅延と、より高い層のデータ転送遅延と、より高い層のサービス遅延を含むことができる。
【０００９】
利用可能性パラメータは接続設定成功レート、サービス成功レート、サービス利用可能性を含むことができる。
【００１０】
検出リクエストメッセージは検出されるプロトコルの情報と、検出開始／終了時間と、検出頻度と、検出期間と、アプリケーション層プロトコル検出応答ノードとにしたがって構成されることができる。
【００１１】
アプリケーション層プロトコル検出応答ノードはＩＰｖ６ネットワークのアプリケーション層プロトコルと、検出開始／終了時間と、検出頻度と、検出期間と、アプリケーション層プロトコル検出応答ノードとにしたがって応答サービスを付勢し、アプリケーション層プロトコル検出開始ノードからの検出リクエストメッセージを監視し受信することができる。
【００１２】
アプリケーション層プロトコル検出開始ノードは検出結果を記録し、検出終了リクエストをアプリケーション層プロトコル検出応答ノードへ送信し、アプリケーション層プロトコル検出応答ノードは検出終了リクエストを受信するときアプリケーション層プロトコル検出を終了できる。
【００１３】
アプリケーション層プロトコル検出開始ノードにより、特定の時間内にアプリケーション層プロトコル検出応答ノードから検出確認メッセージが受信されないならば、アプリケーション層プロトコル検出開始ノードは検出結果を記録し、次の検出を待機することができる。
【００１４】
アプリケーション層プロトコル検出開始ノードとアプリケーション層プロトコル検出応答ノードとの間のアプリケーション層プロトコル検出は１対１の地点間、１対多数の地点間、多数対多数の地点または多数対１の地点間で行われる。
【００１５】
アプリケーション層プロトコル検出開始ノードとアプリケーション層プロトコル検出応答ノードとはクライアント／サーバモデルを使用することができる。
【００１６】
本発明は従来技術よりも優れた次の利点を有する。
【００１７】
ＩＰｖ６ネットワークの性能の検出方法では、クライアント／サーバモデルはネットワークノード間で使用され、幾つかの指定されたサービスの検出機能を実行し、指定されたサービスから発生された種々のタイプの情報の統計および問合せを行う。ＩＰｖ６ネットワークのノード間でアプリケーション層プロトコル検出メッセージを転送することにより、ＩＰｖ６ネットワーク中の種々のアプリケーション層プロトコルが検出され監視されることができる。本発明の方法により、ＩＰｖ６ネットワークの動作状態を適時に知ることができる。さらに異常が生じると適時にそれが発見されることができ、したがってユーザはその異常を取り除くために介入することができ、それによってネットワークの正常動作の確実な保証を行うことができる。
【発明を実施するための最良の形態】
【００１８】
図２は本発明の１実施形態によるＩＰｖ６ネットワークのアプリケーション層プロトコルの検出方法を示すフローチャートである。図２に示されているように、通常ＩＰｖ６ネットワークは複数のネットワークノードを含んでいる。本発明ではネットワークノードはアプリケーション層プロトコル検出開始ノードとアプリケーション層プロトコル検出応答ノードに区分されることができる。
【００１９】
ステップ21で、検出されるプロトコル情報、検出開始及び終了時間、検出頻度、検出期間、検出応答ノードが予め構成される。アプリケーション層プロトコル検出開始ノードは検出されるプロトコル情報、検出開始及び終了時間、検出頻度、検出期間、検出応答ノードにしたがって検出リクエストメッセージを構成する。
【００２０】
ステップ22で、アプリケーション層プロトコル検出開始ノードは構成された検出リクエストメッセージをアプリケーション層プロトコル検出応答ノードへ送信し、アプリケーション層プロトコルの検出を実行するようにリクエストする。
【００２１】
ステップ23で、アプリケーション層プロトコル検出応答ノードはＩＰｖ６ネットワークのアプリケーション層プロトコル、検出開始／終了時間、検出頻度、検出期間、検出応答ノードにしたがって応答サービスを付勢し、アプリケーション層プロトコル検出開始ノードから送信された検出リクエストメッセージを監視する。アプリケーション層プロトコル検出開始ノードから送信された検出リクエストメッセージを受信するとき、アプリケーション層プロトコル検出応答ノードは検出リクエストメッセージに応答して検出確認メッセージをアプリケーション層プロトコル検出開始ノードへ送信する。
【００２２】
ステップ24で、アプリケーション層プロトコル検出開始ノードはアプリケーション層プロトコル検出応答ノードから返送される検出確認メッセージを待機する。アプリケーション層プロトコル検出開始ノードが特定時間内に検出確認メッセージを受信しないならば、プロセスはステップ25へ進み、アプリケーション層プロトコル検出開始ノードは結果を記録し次の検出を待機する。アプリケーション層プロトコル検出開始ノードが特定された時間内に検出確認メッセージを受信するならば、プロセスはステップ26へ進み、アプリケーション層プロトコル検出開始ノードはＩＰｖ６ネットワークのアプリケーション層上でメッセージをアプリケーション層プロトコル検出応答ノードと交換し、アプリケーション層プロトコル検出を行うようにネットワークプロトコルの動作状態を評価するための性能パラメータと、さらにネットワークプロトコルの利用可能性の状態を評価するための利用可能性パラメータを獲得する。性能パラメータはより高い層のパケットスループットと、より高い層のサービス応答遅延と、より高い層の認証遅延と、より高い層のデータ転送遅延と、より高い層のサービス遅延を含むことができる。利用可能性パラメータは接続設定成功レート、サービス成功レート、サービス利用可能性を含むことができる。次にプロセスはステップ27へ進む。ステップ27で、アプリケーション層プロトコル検出開始ノードは検出結果を記録し、プロセスはステップ28へ進む。ステップ28でアプリケーション層プロトコル検出開始ノードは検出終了リクエストをアプリケーション層プロトコル検出開始ノードへ送信する。検出終了リクエストを受信するとき、アプリケーション層プロトコル検出開始ノードは検出を終了する。
【００２３】
本発明によるアプリケーション層プロトコル検出開始ノードとアプリケーション層プロトコル検出開始ノード間の検出はそれぞれ図３の（Ａ）乃至（Ｄ）に示されているように１対１の地点間、１対多数の地点間、多数対多数の地点または多数対１の地点間で行われることができることが認識されよう。図３の（Ａ）乃至（Ｄ）では、矢印線は検出情報を転送するためのパスを表している。
【００２４】
さらに、本発明はクライアント／サーバモデルを使用してもよい。クライアントノードはアプリケーション層プロトコル検出を開始し、検出結果を解析し記録するように構成されている。サーバノードはクライアントノードからの検出リクエストに応答し、確認メッセージをクライアントノードへ送信するように構成されている。クライアント／サーバノード装置はルータ、層２／層３交換装置等を含んでいるがそれに限定されない。図４は本発明のクライアント／サーバモデルの使用による検出タイミング図である。図４に示されているように、最初にクライアントノードは検出されるアプリケーション層プロトコルにしたがって検出リクエストメッセージを構成する。その後、クライアントノードはアプリケーション層プロトコル検出を開始する。サーバノードは検出リクエストメッセージを受信し、検出確認メッセージをアプリケーション層プロトコル検出を開始するクライアントノードへ送信する。そのクライアントノードは検出確認メッセージを受信し、ＩＰｖ６ネットワークのアプリケーション層プロトコルによってメッセージをクライアントノードと交換し、それによって性能パラメータを得る。その後クライアントノードは検出終了リクエストをサーバノードへ送信する。サーバノードから確認を受信後、クライアントノードは検出結果を解析して記録する。
【００２５】
要約すると、このようなＩＰｖ６ネットワークのアプリケーション層プロトコルの検出方法により、ＩＰｖ６ネットワークの種々のアプリケーション層プロトコルは検出され監視されることができ、したがってネットワークの全体の動作状態は適時に知られ、ネットワークの正常の動作が確実に保証される。
【００２６】
本発明の幾つかの好ましい実施形態について前述したが、当業者は本発明の技術的範囲を逸脱せずに種々の変形および代替を認識することができることに注意すべきである。それ故、これらの変形および代替は本発明の技術的範囲内に含まれる。
【図面の簡単な説明】
【００２７】
【図１】既存のＩＰｖ６ネットワークモデルを示す図。
【図２】本発明の１実施形態によるＩＰｖ６ネットワークのアプリケーション層プロトコルの検出方法を示すフローチャート。
【図３】本発明の１実施形態によるＩＰｖ６ネットワークのアプリケーション層プロトコルの検出方法における情報転送パスの検出プロセスを示す概略図。
【図４】本発明の１実施形態によるＩＰｖ６ネットワークのアプリケーション層プロトコルの検出方法におけるクライアント／サーバモデルの使用による検出タイミング図。
【図１】
2009506686.tif 000003
【図２】
2009506686.tif 000004
【図３】
2009506686.tif 000005
【図４】
2009506686.tif 000006
【手続補正書】
【提出日】平成20年5月27日(2008.5.27)
【手続補正１】
【補正対象書類名】特許請求の範囲
【補正対象項目名】全文
【補正方法】変更
【補正の内容】
【特許請求の範囲】
【請求項１】
アプリケーション層プロトコル検出開始ノードとアプリケーション層プロトコル検出応答ノードを具備しているインターネットプロトコルバージョン６のＩＰｖ６ネットワークのアプリケーション層プロトコルの検出方法において、
アプリケーション層プロトコル検出開始ノードによって、検出リクエストメッセージをアプリケーション層プロトコル検出応答ノードへ送信し、
前記検出リクエストメッセージに応答して、アプリケーション層プロトコル検出応答ノードによって、検出確認メッセージをアプリケーション層プロトコル検出開始ノードへ送信し、
前記検出確認メッセージを受信するとき、アプリケーション層プロトコル検出開始ノードにより、ＩＰｖ６ネットワークのアプリケーション層プロトコルによってアプリケーション層プロトコル検出応答ノードとメッセージを交換し、性能パラメータとネットワークの評価に使用される利用可能性パラメータとを獲得するステップを含んでいる検出方法。
【請求項２】
性能パラメータはより高い層のパケットスループットと、より高い層のサービス応答遅延と、より高い層の認証遅延と、より高い層のデータ転送遅延と、より高い層のサービス遅延を含んでいることを特徴とする請求項１記載の方法。
【請求項３】
利用可能性パラメータは接続設定成功レート、サービス成功レート、サービス利用可能性を含んでいることを特徴とする請求項１記載の方法。
【請求項４】
検出リクエストメッセージは検出されるプロトコルの情報と、検出開始／終了時間と、検出頻度と、検出期間と、アプリケーション層プロトコル検出応答ノードとにしたがって構成されることを特徴とする請求項１記載の方法。
【請求項５】
さらに、アプリケーション層プロトコル検出応答ノードにより、ＩＰｖ６ネットワークのアプリケーション層プロトコルと、検出開始／終了時間と、検出頻度と、検出期間と、アプリケーション層プロトコル検出応答ノードとにしたがって応答サービスを付勢し、アプリケーション層プロトコル検出開始ノードからの検出リクエストメッセージを監視し受信するステップを含んでいることを特徴とする請求項１または４記載の方法。
【請求項６】
さらに、アプリケーション層プロトコル検出開始ノードにより、検出結果を記録し、検出終了リクエストをアプリケーション層プロトコル検出応答ノードへ送信し、検出終了リクエストを受信するときアプリケーション層プロトコル検出応答ノードによりアプリケーション層プロトコル検出を終了するステップを含んでいることを特徴とする請求項５記載の方法。
【請求項７】
さらに、アプリケーション層プロトコル検出開始ノードにより、特定の時間内にアプリケーション層プロトコル検出応答ノードから検出確認メッセージが受信されないならば、アプリケーション層プロトコル検出開始ノードは検出結果を記録し、次の検出を待機するステップを含んでいることを特徴とする請求項６記載の方法。
【請求項８】
アプリケーション層プロトコル検出開始ノードとアプリケーション層プロトコル検出応答ノードとの間のアプリケーション層プロトコル検出は１対１の地点間、１対多数の地点間、多数対多数の地点または多数対１の地点間で行われることを特徴とする請求項１記載の方法。
【請求項９】
アプリケーション層プロトコル検出開始ノードとアプリケーション層プロトコル検出応答ノードとはクライアント／サーバモデルを使用することを特徴とする請求項１乃至８のいずれか１項記載の方法。
【請求項１０】
インターネットプロトコルバージョン、ＩＰｖ６ネットワークのアプリケーション層プロトコルの検出方法において、
検出リクエストメッセージをアプリケーション層プロトコル検出応答ノードへ送信し、
検出リクエストメッセージに応答して、アプリケーション層プロトコル検出応答ノードから返送された検出確認メッセージを受信し、
ネットワークのアプリケーション層プロトコルによりアプリケーション層プロトコル検出応答ノードとメッセージを交換することにより、ＩＰｖ６ネットワークを評価するために使用される性能パラメータと利用可能性パラメータとを獲得するステップを含んでいる検出方法。
【請求項１１】
インターネットプロトコルバージョン、ＩＰｖ６ネットワークのアプリケーション層プロトコルの検出方法において、
アプリケーション層プロトコル検出開始ノードから送信された検出リクエストメッセージに応答して検出確認メッセージをアプリケーション層プロトコル検出開始ノードへ送信し、
送信された検出確認メッセージに応答してアプリケーション層プロトコル検出開始ノードがメッセージの交換を開始するとき、ＩＰｖ６ネットワークのアプリケーション層プロトコルによってアプリケーション層プロトコル検出開始ノードとメッセージを交換するステップを含んでいる方法。
【請求項１２】
検出リクエストメッセージをアプリケーション層プロトコル検出応答ノードへ送信し、
検出リクエストメッセージに応答して、アプリケーション層プロトコル検出応答ノードから返送された検出確認メッセージを受信し、
ネットワークのアプリケーション層プロトコルによりアプリケーション層プロトコル検出応答ノードとメッセージを交換することにより、ＩＰｖ６ネットワークを評価するために使用される性能パラメータと利用可能性パラメータとを獲得するステップを含んでいる方法を行うように構成されているプロセッサを具備しているアプリケーション層プロトコル検出開始ノード。
【請求項１３】
アプリケーション層プロトコル検出開始ノードから送信された検出リクエストメッセージに応答して検出確認メッセージをアプリケーション層プロトコル検出開始ノードへ送信し、
検出確認メッセージに応答して、アプリケーション層プロトコル検出開始ノードがメッセージの交換を開始するときＩＰｖ６ネットワークのアプリケーション層プロトコルによりアプリケーション層プロトコル検出開始ノードとメッセージを交換するステップを含んでいる方法を行うように構成されたプロセッサを具備しているアプリケーション層プロトコル検出応答ノード。
【手続補正２】
【補正対象書類名】明細書
【補正対象項目名】００２４
【補正方法】変更
【補正の内容】
【００２４】
さらに、本発明はクライアント／サーバモデルを使用してもよい。クライアントノードはアプリケーション層プロトコル検出を開始し、検出結果を解析し記録するように構成されている。サーバノードはクライアントノードからの検出リクエストに応答し、確認メッセージをクライアントノードへ送信するように構成されている。クライアント／サーバノード装置はルータ、層２／層３交換装置等を含んでいるがそれに限定されない。図４は本発明のクライアント／サーバモデルの使用による検出タイミング図である。図４に示されているように、最初にクライアントノードは検出されるアプリケーション層プロトコルにしたがって検出リクエストメッセージを構成する。その後、クライアントノードはアプリケーション層プロトコル検出を開始する。サーバノードは検出リクエストメッセージを受信し、検出確認メッセージをアプリケーション層プロトコル検出を開始するクライアントノードへ送信する。そのクライアントノードは検出確認メッセージを受信し、ＩＰｖ６ネットワークのアプリケーション層プロトコルによってメッセージをサーバノードと交換し、それによって性能パラメータを得る。その後クライアントノードは検出終了リクエストをサーバノードへ送信する。サーバノードから確認を受信後、クライアントノードは検出結果を解析して記録する。
【国際調査報告】
2009506686.tif 000007
2009506686.tif 000008
2009506686.tif 000009
2009506686.tif 000010
2009506686.tif 000011
2009506686.tif 000012